(57)【要約】  コンパクトは、ベース、カバー、ベース中のフレーム、および第１のトレイ区分およびそれに対する第２のトレイ区分を有するトレイからなる。カバーおよびフレームは、ベースへ枢動可能に設けられている。トレイは、フレーム中に回転可能に設けられ、そしてベースに対して回転可能であって、トレイの第１のトレイ区分またはトレイの第２のトレイ区分はベースに向かってまたはそれから離れて面する。各トレイ区分は、典型的な例として薄壁の金属パン（ゴデット）中に含まれる１つ以上の化粧組成物を保持する少なくとも１つのコンパートメントを有する。
2009544405.tif 000002
【特許請求の範囲】
【請求項１】
ベース；ベースに重なってコンパクトのケーシングを画成し、ベースから開いた位置への上方への回転、または開いた位置からベースへの下方へのコンパクトを閉じるための回転のためにベースの上に枢動可能に設けられたカバー；貫通した空間を有し、ベース内に嵌合された中心のフレーム；第１のトレイ区分およびそれに対する第２のトレイ区分を有する２つの側面を有するトレイからなり、
２つの側面を有するトレイの第１および第２のトレイ区分は、化粧組成物を受容するように適合された少なくとも１つのコンパートメントを有し、該トレイは、フレームの貫通する空間に嵌め込まれそしてカバーが開いた位置にあるときフレーム内で回転可能であり、それにより第１のトレイ区分は、ベースから離れて面する位置から第１のトレイ区分がベースに向かって面する位置へ回転でき、第２のトレイ区分は、ベースに向かって面する位置から第２のトレイ区分がベースから離れて面する位置へ同時に回転することを特徴とするベースおよびカバーからなる化粧用コンパクト。
【請求項２】
少なくとも１つのコンパートメント内に保持される金属パン内で予め形成される１つ以上のプレスされた粉末状の化粧組成物をさらに含む請求項１のコンパクト。
【請求項３】
少なくとも１つのトレイ区分の少なくとも１つのコンパートメント中に設けられそして少なくとも１つの凹所を有するトレイ挿入物をさらに含む請求項１のコンパクト。
【請求項４】
トレイ区分が１つのコンパートメントを有しそしてトレイ挿入物が複数の凹所を有する請求項２のコンパクト。
【請求項５】
複数の凹所内に固定された金属パン内に予め形成された１つ以上のプレスされた粉末状の化粧組成物をさらに含む請求項１のコンパクト。
【請求項６】
１つ以上のプレスされた粉末状の化粧組成物をさらに含み、そして２つのトレイ区分のいずれかまたは両者の少なくとも１つのコンパートメントに少なくとも１つの内部の壁体が設けられてプレスされた粉末状の化粧組成物を受容する２つ以上のコンパートメントを画成する請求項１のコンパクト。
【請求項７】
プレスされた粉末状の化粧組成物が、コンパートメント内に保持される金属パン内で予め形成される請求項６のコンパクト。
【請求項８】
金属パンがコンパートメントから取り外し可能である請求項７のコンパクト。
【請求項９】
カバーの上に設けられた鏡をさらに含む請求項１のコンパクト。
【請求項１０】
ベース；ベースの上に重なってコンパクトのケーシングを画成するカバー；ベース内に嵌め込まれたフレーム；フレーム内に回転可能に設けられ、第１のトレイ区分および対する第２のトレイ区分を有するトレイ；および各トレイ区分に含まれる少なくとも１つのプレスされた粉末状の化粧組成物からなり、
カバーおよびベースは、共通の軸に互いに枢動可能に設けられ、それによりカバーがベースから上方に枢動するとき、１つの位置では第１のトレイ区分は上方に面しそして反対の位置では第２のトレイ区分は上方に面するようにトレイがフレーム内で回転することを特徴とする化粧用コンパクト。
【請求項１１】
各トレイ区分が複数のコンパートメントを有し、各トレイ区分中の少なくとも１つのコンパートメントはプレスした粉末状の化粧組成物を含む請求項１０のコンパクト。
【請求項１２】
フレームが該共通の軸で枢動可能である請求項１０のコンパクト。
【請求項１３】
各トレイ区分が複数のコンパートメントを有し、各トレイ区分中の少なくとも１つのコンパートメントはプレスされた粉末状の化粧組成物を含む請求項１２のコンパクト。
【請求項１４】
プレスされた粉末状の化粧組成物が、コンパートメント内に固定された金属パン内で予め形成されている請求項１３のコンパクト。
【請求項１５】
各トレイ区分が１つのコンパートメントを有し、コンパクトが、各トレイ区分のコンパートメント中に保持されるトレイ挿入物をさらに含み、各トレイ挿入物は複数の凹所を有し、各トレイ挿入物中の少なくとも１つの凹所はプレスされた粉末状の化粧組成物を含む請求項１２のコンパクト。
【請求項１６】
プレスされた粉末状の化粧組成物が、コンパートメント内に保持される金属パン内で予め形成される請求項１４のコンパクト。
【請求項１７】
トレイが一体化した構造を有する請求項１６のコンパクト。
【請求項１８】
金属パンがコンパートメントから取り外し可能である請求項１７のコンパクト。
【請求項１９】
各トレイ区分中の複数のコンパートメントがプレスされた粉末状の化粧組成物を含む請求項１１のコンパクト。
【請求項２０】
ベース；ベースの上に重なってコンパクトのケーシングを画成するカバー；貫通する空間を有するベース中のフレーム；フレームの貫通する空間内に回転可能に設けられ、第１のトレイ区分およびそれに対する第２のトレイ区分を有し、各トレイ区分が少なくとも１つのコンパートメントを有するトレイ、並びに各トレイ区分の少なくとも１つのコンパートメント内に含まれる金属パン内の予め形成された少なくとも１つのプレスされた粉末状の化粧組成物からなり、
カバー、フレームおよびベースは、共通の軸に互いに枢動可能に設けられ、それによりカバーがベースから上方に枢動するとき、１つの位置では第１のトレイ区分は上方に面しそして反対する位置では第２のトレイ区分は上方に面するようにトレイがフレーム内で回転することを特徴とする化粧用コンパクト。
【請求項２１】
トレイが一体化した構造を有し、そしてパンがコンパートメントから取り外し可能である請求項２０のコンパクト。
【請求項２２】
コンパートメント中に含まれる化粧用道具をさらに含む請求項２０のコンパクト。
【請求項２３】
（ａ）ベース、
（ｂ）ベースの上に位置して内部コンパートメントを有する化粧用ケーシングを画成しそしてベースへ枢動可能に取り付けられたカバー、
（ｃ）貫通する空間を画成する前壁体、後壁体および相対する側壁体を有し、ベース内に嵌め込まれそしてカバーとベースとの間に枢動可能に係合しているフレーム、
（ｄ）第１のトレイ区分およびそれに対する第２のトレイ部分を有し、第１のトレイ区分および第２のトレイ区分が複数のコンパートメントを有し、そして第１のトレイ区分がベースから離れて面する第１の位置から第１のトレイ区分がベースに面する第２の位置へフレーム内で回転可能であるトレイ、および
（ｅ）１つ以上のコンパートメント中に存在し化粧組成物を含むパン
からなることを特徴とする化粧用コンパクト。
【請求項２４】
ベースが前壁体および相対する第１の側壁体を有し、相対する第１の側壁体はベースの後部で開口を画成し、そしてカバーが前壁体、前壁体に対する後壁体および相対する側壁体を有し、後壁体の少なくとも一部はベースの後部で開口中に延在し、カバー、ベースおよびフレームは、フレームの後壁体、カバーの後壁体の延在部およびベースの後部の開口により画成される共通の軸に沿って回転可能である請求項２３のコンパクト。
【請求項２５】
フレームが、その後壁体から延在しているフランジを含み、そしてベースが、その相対する側壁体から内側へ延在しているフランジを含み、共通の軸が該フレームフランジおよび該ベースフランジを含む請求項２３のコンパクト。
【請求項２６】
（ａ）前壁体および相対する側壁体を有し、側壁体がベースの後部で開口を画成しているベース；
（ｂ）前壁体、相対する側壁体およびベースの後部の開口内に挿入される延在部を有する後壁体を有するカバー；
（ｃ）貫通する空間を画成する相対する側壁体、前壁体および後壁体を有し、さらにフレームの後壁体からベースの後部の開口中に延在する少なくとも１つのフランジを有するフレーム；
（ｄ）互いに枢動可能に取り付けられたベースの側壁体、カバー、後壁体の延在部およびフレームのフランジおよび
（ｅ）第１のトレイ区分およびそれに対する第２のトレイ区分を有するフレーム内に回転可能に位置し、各トレイ区分が少なくとも１つのコンパートメントを有し、そして化粧組成物を含むトレイ
からなることを特徴とする化粧用コンパクト。
【請求項２７】
化粧組成物が、コンパートメント内に存在する金属パン内で予め形成されたプレスされた粉末である請求項２６のコンパクト。
【請求項２８】
化粧組成物がプレスされた粉末状の化粧組成物であり、そして各トレイ区分中の複数のコンパートメントがプレスされた粉末状の化粧組成物を含む請求項２７のコンパクト。
【請求項２９】
ベースは、ベースがそれらを通ってフレームおよびカバーへ枢動可能に取り付けられているその相対する側壁体から内側へ延在しているフランジを含む請求項２６のコンパクト。
【請求項３０】
ピンが、ベース、カバーおよびフレームを枢動可能に取り付けている請求項２９のコンパクト。
【請求項３１】
トレイがフレーム内に取り外し可能に配置されている請求項２６のコンパクト。
【請求項３２】
トレイが、ボールおよびソケットを使用してフレーム中に取り外し可能でかつ回転可能に保持されている請求項３１のコンパクト。
【請求項３３】
トレイが密着嵌め合いを使用してフレーム中に維持される請求項３２のコンパクト。
【発明の詳細な説明】
【技術分野】
【０００１】
本発明は、コンパクトに関する。より詳細には、本発明は使用者が塗る化粧品を含むコンパクトに関する。
【背景技術】
【０００２】
化粧品例えば白粉（おしろい）、アイシャドウ、ルージュ、ファンデーション、ほお紅、ケーキマスカラ、口紅および同様な化粧品組成物は、しばしば、典型的な例としてコンパクトといわれる容器に包装される。典型的なコンパクトは、典型的な例としてプレスされた形で化粧品組成物が貯えられる１つ以上の凹所を有するトレイとして形成されるベース、および貯えられた１つ以上の組成物の乾燥、溢れおよび汚染を防ぐために１つ以上の凹所に貯えられる１つ以上の組成物を閉じ込めそしてベースの上に重ねられるカバーを含む。典型的な例では、ベースおよびカバーは、コンパクトの１つの側面に沿って蝶番で取り付けられ、そして使用者がコンパクトを手で開閉可能に閉じることができる手段が設けられる。
【０００３】
特許文献１は、ベース部材および鏡のついたカバー部材からなる化粧ポーチを開示している。容器（また中間部材ともよばれる）はベースとカバーとの間に設けられ、そして複数の化粧道具例えばコンパクトを中間部材へ確保する手段が設けられる。中間部材は、ピボットピンでケースに脱着可能に取り付けられ、そして好ましくはそれに確保された１組のコンパクト例えばルージュコンパクトおよび白粉コンパクトを有する。組み合わされたコンパクトは、背中合わせに配置されるか、または両者が外に面するように配置される。
【０００４】
特許文献２は、鏡を備えたコンパクトにおける改良を開示している。この特許の目的は、コンパクトが閉じられたとき、コンパクトに含まれる白粉の作用から鏡を保護することである。この特許は、また、コンパクトが閉じられたとき、鏡（典型的な例としてコンパクトのカバーの内側へ固定されている）の使用を可能にすることを求めている。特許文献２に開示された特許の他の特徴は、鏡がカバーのなかに回転自由に設けられ、そしてコンパクトが閉じられたとき鏡が外側に面するようにカバーの開閉に応じて自動的に枢動することである。このような位置で、鏡は、凹所中の白粉またはパフから離れる白粉の作用から保護され、そして鏡は例えば口紅を塗るのに使用できる。コンパクトを開けたとき、鏡は、内側へ面しそして白粉を塗るのに使用できる。この特許のコンパクトのベースは、白粉および白粉パフのための白粉を貯える凹所を含む。
【０００５】
特許文献３は、周縁のフレームおよび中心のパネルを有するベースおよび／またはカバーを有するコンパクトを開示している。この特許は、ベース部材がフレームおよびパネルからなるとき、パネルの主な面のうちの１つがコンパクトに含まれるように材料を保持するためのトレイとして形成されることを教示している。この特許は、さらに、カバー部材がフレームおよびパネルからなるとき、パネルの主な面のうちの少なくとも１つが鏡を備えることができることを教示している。パネルは、コンパクトが閉じられるとき、パネルの相対する主な面がそれぞれコンパクトの外部に面する２つの位置の間の少なくとも１８０°で、フレームに関して回転可能になるように成形されそしてそれが可能になる大きさを有し、パネルの高さはこれらの位置のそれぞれでフレームと実質的に同じである。コンパクトは、コンパクトの外部に面するパネルのトレイの内容物により、またはコンパクトの外部に面するパネルの反対の側の鏡により、閉じられる。
【先行技術文献】
【特許文献】
【０００６】
【特許文献１】米国特許１５１８５９４
【特許文献２】米国特許２５７０３１４
【特許文献３】米国特許５４３７２９４
【発明の概要】
【発明が解決しようとする課題】
【０００７】
２１世紀の女性は、札入れ、クレジットカードホルダーおよび多数の化粧品および／または薬用化粧品を詰め込んだ重いハンドバッグおよび財布を持ち運ばざるを得ない。活発に活動している現代の女性が必要とする多数の化粧品の利用を減らすことなく、女性のハンドバッグおよび財布の重量および乱雑さを減少させることが求められている。
【課題を解決するための手段】
【０００８】
本発明は、１つのコンパクトで複数の化粧組成物を整理統合する化粧用コンパクトを提供する。好ましい態様では、組成物は、それぞれの側面で複数の凹所を有する２つの側面をもつトレイ中に保持され、それぞれの凹所は、多数の化粧組成物により予め満たされたパンを受容するように適合される。
【０００９】
本発明は、１つ以上の化粧組成物、好ましくは複数の化粧組成物のためのコンパクトを提供する。用語「化粧組成物」は、化粧品業界で周知であるような化粧組成物および薬用化粧組成物、特にプレスされたパウダーとしても知られているケーキパウダー例えば白粉、アイシャドウ、ルージュ、ファンデーション、ブラッシュ、ケーキマスカラ、口紅などの形のパウダー組成物を含むことを目的としている。
【００１０】
コンパクトは、ベースおよびベースに重なるカバーからなってコンパクトのケースを画成する。カバーは、ベースから開いた位置への上方への回転、または開いた位置からベースへ向かうコンパクトを閉じる下方への回転のためにベース上に枢動自由に設けられる。コンパクトは、さらに、貫通した空間を有する中心のフレーム（フレームはベース内に嵌り込まれる）、および第１のトレイ区分および相対する第２のトレイ区分を有する２つの側面を有するトレイ（トレイは貫通する空間内のフレームに嵌め込まれそしてカバーが開いた位置にあるとき、フレーム内で回転可能である）からなる。従って、第１のトレイ区分は、ベースから離れて面している位置から、第１のトレイ区分がベースに向かって面している位置へ回転できる。その結果、第２のトレイ区分は、ベースに向かって面している位置から第２のトレイ区分がベースから離れて面している位置へ同時に回転する。２つの側面を有するトレイの第１および第２のトレイ区分には、化粧組成物を受容するように適合された複数の凹所が設けられる。化粧組成物は、典型的な例として、凹所内に固定できる薄壁体の錫またはアルミニウムのパン内に予め形成される。
【００１１】
好ましい態様では、コンパクトは、（ａ）ベースおよび（ｂ）コンパクトのケーシングを画成するためにベースに重なるカバーからなる。カバーは、ベースから開いた位置への上方への回転、または開いた位置からコンパクトを閉じるためにバースへ向かって下方への回転のために、ベース上に枢動可能に設けられる。コンパクトは、さらに、（ｃ）貫通する空間を有する中心のフレーム（該フレームはベース内に嵌め込まれ、そしてベースからカバーへ向かって上方への回転およびカバーからベースへ向かって下方への回転のためにベース上に枢動可能に設けられる）、および（ｄ）第１のトレイ区分およびそれに対する第２のトレイ区分を有する２つの側面を有するトレイからなる。トレイは、貫通する空間内でフレーム中に嵌め込まれ、そしてカバーが開きさらにフレームがベースから上方に枢動している位置にあるとき回転可能である。トレイがフレーム中で回転するとき、第１のトレイ区分は、ベースから離れて面する位置からベースに向かって面する位置へ回転する。その結果、第２のトレイ区分は、ベースに向かって面する位置からベースから離れて面する位置へ同時に回転する。１つの態様では、２つの側面を有するトレイの第１および第２のトレイ区分には、化粧組成物を受容するように適合された複数のコンパートメントが設けられる。他の態様では、少なくとも１つのトレイ区分は、（ｅ）化粧組成物を含む複数の凹所を有するトレイ挿入物を受容する。好ましくは、それぞれのトレイ区分は、トレイ挿入物を受容する。化粧組成物は、典型的な例として、場合に応じて、コンパートメントまたは凹所内に固定できる薄壁体の錫またはアルミニウムのパン内に予め形成される。トレイ挿入物は置換可能であって、消費者が化粧品のそれらの供給を新しくできる。別の態様として、再充填されたパンがそれらの代わりに挿入できるように、パンは凹所から取り出すことができる。
【図面の簡単な説明】
【００１２】
【図１】本発明による化粧用コンパクトの上方からの斜視図であり、コンパクトは閉じられている。
【図２】カバーが開いた位置へ枢動しそして鏡およびトレイを示す図１のコンパクトの斜視図である。
【図３】フレームおよびトレイのアセンブリがベースから上方へ離れて枢動した図２のコンパクトの斜視図である。
【図４】トレイがフレーム中で回転した図３のコンパクトの斜視図である。
【図５】カバー、フレームおよびベースのアセンブリを説明する分解斜視図である。
【図６】フレーム、トレイおよびトレイ挿入物を示す斜視図である。
【図７】図１で示されるコンパクトの側面図である。
【図８】図３で示されるコンパクトの側面図である。
【図９】図４で示されるコンパクトの側面図である。
【図１０】トレイをフレームへ回転可能に付着する別の方法を説明するトレイ−フレームのアセンブリの切欠部分図である。
【図１１】トレイの別の態様である。
【発明を実施するための形態】
【００１３】
図面特に図４に示されているように、本発明のコンパクト１は、相対する側壁体４ａ、４ｂおよび前壁体３を有するベース２を有する。前壁体３は、典型的な例として、相対する側壁体４ａ、４ｂより厚く、そして凹所部分５を有する。図５に最も良く示されているように、ベース２の相対する側壁体４ａ、４ｂには、それぞれ、ベースのフランジ２１ａ、２１ｂがそれらの後方の内面上に設けられる。
【００１４】
カバー７は、ベース２に重なって内部のコンパートメントを画成し、そしてベース１に枢動自由に設けられる。ベース２および重なるカバー７は一緒になって、コンパクトのケーシングを画成する。カバー７は、相対する浅い側壁体８ａ、８ｂおよび浅い前壁体９を有する。カバー７の前壁体９は、カバーがベース２へ向かって下方へ枢動してコンパクトを閉じるとき、凹所部分５に適合する延在する部分１０を有する。図５に最も良く示されているように、カバー７はまた以下に詳述されている後壁体６を含む。
凹所１１ａおよびタブ１１ｂは、それぞれ、延在された部分１０上および凹所部分５に設けられ、そしてカバー７が枢動してコンパクト１を閉じ延在された部分１０が凹所部分５と係合するとき、閉じた位置にコンパクトを開閉可能に維持するように協働する。しかし、当業者に周知の任意の好適な閉じるシステムも使用できる。カバー７には、鏡１２を付けることができる。好ましくは、図４に示されるように、鏡１２は、カバー７の下側に配置される。
【００１５】
図４および５について、フレーム１３は、ベース２の相対する側壁体４ａ、４ｂの上のベースフランジ２１ａ、２１ｂ上に枢動可能に設けられ、そして相対する側壁体１４ａ、１４ｂ、前壁体１５（使用者の指によりフレームの持ち上げを助ける切欠部分１６を有する）および後壁体１７からなる。
【００１６】
図５に示されるように、フレーム１３には、ベースフランジ２１ａ、２１ｂに隣接して配置されるフレームフランジ１８ａ、１８ｂが設けられる。フランジ１８ａ、１８ｂのそれぞれは、ベースフランジ２１ａ、２１ｂの相当するピン穴２０ａおよび２０ｂと一直線上にあってそれらと通じているピン穴（１９ａ、１９ｂ）を有する。
【００１７】
カバー７の後壁体６には、フレームフランジ１８ａ、１８ｂの間に適合する大きさを有する延在部６ａが設けられる。延在部６ａには、ピン穴３１ａおよび３１ｂが設けられ、それらはフランジ１８ａ、１８ｂのピン穴１９ａ、１９ｂと同じ軸に沿っておりそしてベースフランジ２１ａ、２１ｂのピン穴２０ａ、２０ｂと同じ軸を有する。すなわち、ピン穴２０ａ、２０ｂ、１８ａ、１８ｂ、３１ａ、３１ｂは、一直線上にあり、その結果、同軸に沿っている。ピン４５は、ピン穴２０ａ、２０ｂ、１８ａ、１８ｂ、３１ａ、３１ｂを通って挿入されてフレーム１３、ベース２およびカバー７を取り付ける。カバー７およびフレーム１３は、それによりベース２からまたはそれに向かって離れるように枢動できる。ピン４５はフレームをベースへ枢動可能に取り付けるのが好ましいが、当業者により使用される任意の好適な取り付け方法が使用できる。例えば、ボールおよびソケットが使用できる。他の態様では、カバー７を完全に開くことにより、フレーム１３は、ベース２内の嵌め込み位置から少し上方に挙げられて、それにより使用者はフレームをベースの近くから完全に枢動できる。この構造により、前壁体１５における切欠部１６の必要性を避けることができる。
【００１８】
図４および図６に示されているように、フレーム１３には、２つの側面を有するトレイ２２が挿入される。トレイ２２は、第１のトレイ区分２６および対する第２のトレイ区分２７（トレイ区分２７は図８および９に示される）を有し、各トレイ区分２６、２７は、少なくとも１つのコンパートメントを画成する浅い側壁体を有する。
【００１９】
１つの態様では、１つ以上のトレイ区分は、１つ以上の化粧組成物を含む複数のコンパートメントを有する。この態様の１つの局面においてそして図６に示されるように、トレイ区分２６、２７の浅い側壁体は、単一のコンパートメントを画成し、そのコンパートメントには、少なくとも１つの凹所を有するが、好ましくは１つ以上の化粧組成物を含むための少なくとも２つの凹所例えばトレイ挿入物２３ａの凹所２４ａ、２４ｂ、２４ｃ、２４ｄを有するトレイ挿入物２３が設けられる。トレイ挿入物２３は、状況に応じて、好適な手段例えばトレイ区分２６または２７の底面上に配置された密着嵌め合いによりまたはトレイ挿入物２３の底面上に補完的な金属片を備えて磁石によりトレイ２２に維持される。１つ以上のコンパートメントまたは１つ以上の凹所に含まれた１つ以上の化粧組成物は、例えばプレスされた粉末状化粧組成物である。
【００２０】
それぞれの凹所２４ａ、２４ｂ、２４ｃ、２４ｄ（「くぼみ」ともいわれる）は、異なる化粧組成物、例えばケーキマスカラ、ルージュ、ファンデーション、ブラッシュ、白粉、口紅、アイシャドウなどを含むことができる。別に、同じ化粧組成物の異なる暗度を有するものも提供される。凹所のサイズは、最も頻繁に使用されるメーキャップのタイプに応じて決められる。以下にさらに詳述されるように、化粧組成物特にプレスされた粉末化粧組成物２９は、好ましくはトレイコンパートメントまたはトレイ挿入物の凹所内に固定された金属パン２８に維持される。好ましくは、それぞれのトレイ区分の複数の凹所またはコンパートメントは、プレスされた粉末化粧組成物を含み、そして典型的な例として少なくとも１つのトレイ区分中のすべての凹所またはコンパートメントは、プレスされた粉末化粧組成物を含む。
【００２１】
図６について、トレイ２２の第２のトレイ区分２７（図８に示される）には、好ましくはまた、少なくとも１つの凹所を有するがさらに好ましくは少なくとも２つの凹所（くぼみ）例えば別々の凹所２５ａ、２５ｂおよび２５ｃを有する第２のトレイ挿入物２３ｂが挿入される。
【００２２】
他の態様では、２つの側面を有するトレイは図１１に示されるようなトレイ２２ａであるが、例えば一体化した物（２つの側面を有するトレイの少なくとも１つの側面そして好ましくは両方の側面は、２つ以上のコンパートメント、例えば図１１に示されるコンパートメント４９ａ、４９ｂ、４９ｃおよび４９ｄを画成する１つ以上の内部の壁体４８を有する）として成形することにより構成される。コンパートメント４９は、トレイ挿入物２３ａおよび２３ｂに形成される凹所２４、２５と同じ機能をもたらすものであり、すなわち凹所２４、２５を有するコンパクト１の操作を示す以下の記述に述べられるように化粧組成物を保持する。
【００２３】
図９に示されそして図４でさらに明らかにされているが、トレイ２２（または下述されるトレイ２２ａ）は、フレーム１３に回転自由に設けられる。従って、トレイ２２のトレイ区分２６またはトレイ区分２７の何れかがカバー７について上方に面するように、トレイ２２は回転できる。言い換えれば、トレイ挿入物２３ａの凹所２４が上方に面しそして挿入物２３ｂの凹所２５が下方に面するようにトレイ２２は回転するか、または挿入物２３ａの凹所２４が下方に面しそして挿入物２３ｂの凹所２５が上方に面するようにトレイ２２は回転する。トレイ２２は、ピン３５によってフレームに回転自由に保持できる。他の態様では、ボールおよびソケットが、フレーム１３の貫通する空間内でトレイ２２を回転自由に維持するのに使用できる。図１０に示されるように、トレイの側壁体３６ａ、３６ｂの外面には、それぞれ、ソケット３８が設けられ、そして側壁体１４ａ、１４ｂのそれぞれの内面には、補完的なボール４０が設けられる。ボール４０はソケット３８と係合し、フレーム１３内にトレイ２２の取り外し可能かつ枢動可能な取り付けをもたらす。同様に、トレイ２２ａにはソケット３８が設けられ、フレーム１３内にトレイ２２ａの取り外し可能かつ枢動可能な取り付けをもたらす。フレームまたはトレイは、またトレイをフレーム内の嵌合位置に維持することを助ける手段を有することができる。例えば、フレーム１３の側壁体１４ａ、１４ｂの内面には、１つ以上のランドが設けられてトレイ２２との密着嵌め合いをもたらす。別の方法として、ランドが、トレイの側壁体の外面に配置することができる。他の態様では、トレイ２２の前壁体および／または後壁体は、トレイ２２の相対する側壁体の間にその中心に配置される隆起線を有するように成形でき、中心の隆起はフレーム１３のそれぞれの壁体の内面と密接に係合する。
【００２４】
本発明のコンパクトの２つの側面および複数のコンパートメントを有するトレイは、組成、フォーマット、テクスチャー、暗度および／または色彩のタイプに基づいて製品のミックスを変えることができる。コンパクトは、またトレイ２２のコンパートメントまたはトレイ挿入物２３の凹所２４、２５中、トレイ２２ａのコンパートメント４９中、または化粧ケーシングの内部のコンパートメント中の何れかで、顔面、唇または眼へメーキャップを施すために使用者により必要な１つ以上の化粧用道具または器具、例えばブラッシュ、先端にフォームを有するアイシャドウアプリケーター、パフなどを含むことができる。メーキャップ除去器具も用意できる。使用者の立場から、本発明は、顔面、眼および唇にとって使用者が必要とする化粧品のすべてを満足できるコンパクトを提供し、そして女性のハンドバッグまたは財布に空所を作ることができる。
【００２５】
コンパクトは、以下について利用できる。（ｉ）顔面用製品、例えば白粉、シマー（ｓｈｉｍｍｅｒ）パウダー、ファンデーション（例えば、パウダー、ホットポア（ｐｏｕｒ））およびオール・オーバー・グロウ・シマーホットポア。（ｉｉ）ブラッシュ製品、例えばシンマーブラッシュ、コンシーラーおよびカムフラージュ。（ｉｉｉ）眼用製品、例えばアイシャドウ（シマーおよびクリーム）、アイシャドウライナー（ウエット／ドライ）、アイライナー、アイリッドプライマーおよびケーキマスカラ。（ｉｖ）唇用製品、例えば口紅、リップグロス、リッププライマー、口紅剥離剤およびマット・リップ・ステイン。（ｖ）これらの任意の組み合わせ。
【００２６】
ある製造方法において、化粧組成物は、薄壁の錫またはアルミニウムのパン２８に加えられ、その形状は、そのなかにそれが入れられるトレイ２２ａのコンパートメント４９、またはトレイ挿入物２３ａ、２３ｂの凹所２４，２５の形状に適合する。化粧組成物が粉末であるとき、粉末はパン２８に入れられそして圧縮されてプレスした粉末化粧品２９を生ずる。パン２８は、次に凹所またはコンパートメント（例えば、図６に示される凹所２４ａ）中に挿入される。もし所望ならば、パンは、任意の好適な接着剤により凹所（コンパートメント）中に固定される。ある製造方法では、トレイ２２，２２ａまたはトレイ挿入物２３ａ、２３ｂが高い圧縮力に抵抗することができないために、圧縮されない粉末が凹所またはコンパートメント例えば凹所２４ａまたはコンパートメント４９中に直接入れられる。
【００２７】
個々のパン２８（ゴデットともよばれる）の使用は、早くて能率的な充填／製造、１つより多い部位における充填の能力、並びにファッションおよび消費者のトレンドの変化に対応して製品のミックスを素早く変える能力を可能にする点で有利である。有利なことに、パン２８は取り外しが可能なので、消費者が使い尽くしたパンを換えるか、または異なる色彩の化粧品の組み合わせを試みることができる。この態様では、パン２８は、好適なやり方、例えばそれらが、凹所２４，２５内に密着嵌め込みされるか、またはパンが強磁性の材料例えば錫メッキ鋼から製造されているとき、凹所の底面上で磁石により正しい位置に保持されるか、または底面上にこのような材料の片を有することにより、コンパートメント（または凹所）中に維持できる。その上、個々のパンは、コンパクトのすべてを再び加工することなく種々の形状および大きさに加工でき、加工費を節約することになる。
【００２８】
本発明のコンパクトが、好ましい箱状の態様について記述かつ画かれてきたが、他の形状のコンパクト例えば円筒状、円状、楕円状および卵状のコンパクトも、本発明の範囲内にあることを目的とする。
【００２９】
コンパクトは、当業者に周知の方法により製造できる。典型的な例として、コンポーネントパーツは、好ましくはアクリロニトリル−ブタジエン−スチレン（ＡＢＳ）樹脂またはスチレン−アクリロニトリル（ＳＡＮ）樹脂そして特にＡＢＳおよびＳＡＮ樹脂の混合物を使用して、好適なポリマーから射出成型される。
【００３０】
前述が本発明の単なる説明に過ぎないことを理解すべきである。種々の別法および改変は、本発明から離れることなく当業者により考え出せることができる。従って、本発明は、請求の範囲の範囲内に入るすべてのこのような別法、改変および変化を包含することを目的とする。
【符号の説明】
【００３１】
１      コンパクト
２      ベース
３      前壁体
４ａ    側壁体
４ｂ    側壁体
５      凹所
６      後壁体
６ａ    延在部
７      カバー
８ａ    側壁体
８ｂ    側壁体
９      前壁体
１０      延在部
１１ａ    凹所
１１ｂ    凹所
１２      鏡
１３      フレーム
１４ａ    側壁体
１４ｂ    側壁体
１５      前壁体
１６      切欠部分
１７      後壁体
１８ａ    フランジ
１８ｂ    フランジ
１９ａ    ピン穴
１９ｂ    ピン穴
２０ａ    ピン穴
２０ｂ    ピン穴
２１ａ    フランジ
２１ｂ    フランジ
２２      トレイ
２２ａ    トレイ
２３      トレイ挿入物
２３ａ    トレイ挿入物
２３ｂ    トレイ挿入物
２４      凹所
２４ａ    凹所
２４ｂ    凹所
２４ｃ    凹所
２４ｄ    凹所
２５      凹所
２５ａ    凹所
２５ｂ    凹所
２５ｃ    凹所
２６      第１のトレイ区分
２７      第２のトレイ区分
２８      金属パン
２９      化粧組成物
３１ａ    ピン穴
３１ｂ    ピン穴
３５      ピン
３６ａ    凹所
３６ｂ    凹所
３８      ソケット
４０      ボール
４５      ピン
４８      凹所
４９      コンパートメント
４９ａ    コンパートメント
４９ｂ    コンパートメント
４９ｃ    コンパートメント
４９ｄ    コンパートメント
【図１】
2009544405.tif 000003
【図２】
2009544405.tif 000004
【図３】
2009544405.tif 000005
【図４】
2009544405.tif 000006
【図５】
2009544405.tif 000007
【図６】
2009544405.tif 000008
【図７】
2009544405.tif 000009
【図８】
2009544405.tif 000010
【図９】
2009544405.tif 000011
【図１０】
2009544405.tif 000012
【図１１】
2009544405.tif 000013
【国際調査報告】
2009544405.tif 000014